(57)【要約】【課題】簡易な構成で照明光の色温度を変化させる。【解決手段】第１定電流回路１２は、周囲温度を検知して第１電流値Ｉ１を増減する第１温度検知素子１２０を備える。第２定電流回路２２は、周囲温度を検知し、かつ第１温度検知素子１２０とは逆向きに第２電流値Ｉ２を増減する第２温度検知素子２２０を備える。ＬＥＤ照明装置は、通常の抵抗器に代えて、第１温度検知素子１２０と第２温度検知素子２２０を用いるだけで、温度の上昇に伴って照明光の色温度を変化させることができる。ゆえに、ＬＥＤ照明装置は、簡易な構成で照明光（合成照明光）の色温度を変化させることができる。【選択図】        図１
2016201264.tif 000002
【特許請求の範囲】
【請求項１】
第１光源と、第２光源と、第１定電流回路と、第２定電流回路とを備え、
前記第１光源は、第１の色温度の光を放射する、１ないし複数個の第１ＬＥＤを有し、
前記第２光源は、前記第１の色温度と異なる第２の色温度の光を放射する、１ないし複数個の第２ＬＥＤを有し、
前記第１定電流回路は、前記第１光源に流す電流を第１電流値に一致させるように構成され、
前記第２定電流回路は、前記第２光源に流す電流を第２電流値に一致させるように構成され、
前記第１定電流回路は、周囲温度を検知して前記第１電流値を増減する第１温度検知素子を備え、
前記第２定電流回路は、前記周囲温度を検知し、かつ前記第１温度検知素子とは逆向きに前記第２電流値を増減する第２温度検知素子を備えることを特徴とするＬＥＤ照明装置。
【請求項２】
前記第１温度検知素子は、前記周囲温度が上昇するにつれて、前記第１電流値を増加させるように構成され、
前記第２温度検知素子は、前記周囲温度が上昇するにつれて、前記第２電流値を減少させるように構成されることを特徴とする請求項１記載のＬＥＤ照明装置。
【請求項３】
前記第１温度検知素子は、前記周囲温度が上昇するにつれて、前記第１電流値を減少させるように構成され、
前記第２温度検知素子は、前記周囲温度が上昇するにつれて、前記第２電流値を増加させるように構成されることを特徴とする請求項１記載のＬＥＤ照明装置。
【請求項４】
前記第１温度検知素子及び前記第２温度検知素子は、前記周囲温度が変化しても、前記第１電流値と前記第２電流値の合計値を一定にするように構成されることを特徴とする請求項１〜３のいずれか１項に記載のＬＥＤ照明装置。
【請求項５】
前記第１温度検知素子及び前記第２温度検知素子は、正特性サーミスタ及び負特性サーミスタで構成されることを特徴とする請求項１〜４のいずれか１項に記載のＬＥＤ照明装置。
【請求項６】
前記第１ＬＥＤ及び前記第２ＬＥＤを実装する基板を備え、前記基板は、前記第１ＬＥＤと前記第２ＬＥＤを交互に並ぶように実装することを特徴とする請求項１〜５のいずれか１項に記載のＬＥＤ照明装置。
【発明の詳細な説明】
【技術分野】
【０００１】
本発明は、ＬＥＤ照明装置に関し、より詳細には、光色の異なる複数種類のＬＥＤを混色させるＬＥＤ照明装置に関する。
【背景技術】
【０００２】
従来例として、特許文献１記載のＬＥＤ照明装置を例示する。特許文献１記載のＬＥＤ照明装置は、互いに色温度の異なる第１発光部及び第２発光部と、第１発光部及び第２発光部の点消灯制御を行う制御回路とを備える。制御回路は、第１発光部と第２発光部を相補的に点消灯させる点灯期間と、第１発光部と第２発光部の両方を消灯させる消灯期間とを有するように、第１発光部及び第２発光部の周期的な点消灯制御を行う。さらに、制御回路は、第１発光部と第２発光部の逆相関色温度の差に応じて、点灯期間内における第１発光部の点灯期間と第２発光部の点灯期間とのデューティ比率を可変制御する。特許文献１記載のＬＥＤ照明装置は、ＬＥＤ照明光の逆相関色温度の差が線形になるように調整し、並びに輝度も調整することで、人間の知覚の等間隔性に合わせることができる。
【先行技術文献】
【特許文献】
【０００３】
【特許文献１】特開２００８−３０５７５９号公報
【発明の概要】
【発明が解決しようとする課題】
【０００４】
しかしながら、特許文献１記載のＬＥＤ照明装置は、ＬＥＤ照明光の色温度を可変とするために、第１発光部及び第２発光部を制御する、高機能の制御回路が必要である。一方、ＬＥＤ照明装置においては、高機能の制御回路を必要とせず、簡易に照明光の色温度を可変とすることが求められている。
【０００５】
本発明は、上記課題に鑑みてなされており、簡易な構成で照明光の色温度を変化させることを目的とする。
【課題を解決するための手段】
【０００６】
本発明のＬＥＤ照明装置は、第１光源と、第２光源と、第１定電流回路と、第２定電流回路とを備え、前記第１光源は、第１の色温度の光を放射する、１ないし複数個の第１ＬＥＤを有し、前記第２光源は、前記第１の色温度と異なる第２の色温度の光を放射する、１ないし複数個の第２ＬＥＤを有し、前記第１定電流回路は、前記第１光源に流す電流を第１電流値に一致させるように構成され、前記第２定電流回路は、前記第２光源に流す電流を第２電流値に一致させるように構成され、前記第１定電流回路は、周囲温度を検知して前記第１電流値を増減する第１温度検知素子を備え、前記第２定電流回路は、前記周囲温度を検知し、かつ前記第１温度検知素子とは逆向きに前記第２電流値を増減する第２温度検知素子を備えることを特徴とする。
【発明の効果】
【０００７】
本発明のＬＥＤ照明装置は、簡易な構成で照明光の色温度を変化させることができるという効果がある。
【図面の簡単な説明】
【０００８】
【図１】実施形態１に係るＬＥＤ照明装置を示す回路図である。
【図２】図２Ａは実施形態１に係るＬＥＤ照明装置の電流−温度特性を示す説明図であり、図２Ｂは実施形態１に係るＬＥＤ照明装置の光色と温度の関係を示す説明図である。
【図３】図３Ａは実施形態１に係るＬＥＤ照明装置の光束−温度特性を示す説明図であり、図３Ｂは実施形態１に係るＬＥＤ照明装置の光束と温度の関係を示す説明図である。
【図４】図４Ａは実施形態２に係るＬＥＤ照明装置の電流−温度特性を示す説明図であり、図４Ｂは実施形態２に係るＬＥＤ照明装置の光色と温度の関係を示す説明図である。
【図５】図５Ａは実施形態２に係るＬＥＤ照明装置の光束−温度特性を示す説明図であり、図５Ｂは実施形態２に係るＬＥＤ照明装置の光束と温度の関係を示す説明図である。
【図６】実施形態３に係るＬＥＤ照明装置におけるＬＥＤモジュールの正面図である。
【図７】図７Ａは実施形態３に係るＬＥＤ照明装置の正面図、図７Ｂは実施形態３に係るＬＥＤ照明装置の右側面図である。
【図８】実施形態３に係るＬＥＤ照明装置のケースとＬＥＤモジュールの断面図である。
【図９】実施形態３に係るＬＥＤ照明装置のエンドキャップを示し、図９Ａは正面図、図９Ｂは右側面図、図９Ｃは背面図、図９Ｄは平面図である。
【図１０】実施形態３に係るＬＥＤ照明装置のエンドキャップの斜視図である。
【図１１】実施形態３に係るＬＥＤ照明装置を示し、図１１Ａは取付部材に取り付けられた状態の一部省略した正面図、図１１Ｂは取付部材に取り付けられた別の状態の一部省略した正面図である。
【図１２】実施形態３に係るＬＥＤ照明装置が用いられる冷蔵ショーケースの正面図である。
【発明を実施するための形態】
【０００９】
以下、本実施形態に係るＬＥＤ照明装置について図面を参照して説明する。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
（実施形態１）
本実施形態のＬＥＤ照明装置は、図１に示すように、第１光源１０と、第２光源２０と、第１定電流回路１２と、第２定電流回路２２とを備える。第１光源１０は、複数個（図示例では７個）の第１ＬＥＤ１００の直列回路で構成される。第１ＬＥＤ１００は、第１の色温度（例えば、相関色温度５０００［Ｋ］）の光を放射する発光ダイオードである。なお、第１光源１０を構成する第１ＬＥＤ１００の個数は７個に限定されず、１個〜６個あるいは８個以上でも構わない。
【００１１】
第２光源２０は、複数個（図示例では７個）の第２ＬＥＤ２００の直列回路で構成される。第２ＬＥＤ２００は、第２の色温度（例えば、相関色温度３０００［Ｋ］）の光を放射する発光ダイオードである。なお、第２光源２０を構成する第２ＬＥＤ２００の個数は７個に限定されず、１個〜６個あるいは８個以上でも構わない。ただし、第１光源１０を構成する第１ＬＥＤ１００の個数と、第２光源２０を構成する第２ＬＥＤ２００の個数とは同数であることが好ましい。
【００１２】
第１定電流回路１２は、図１に示すように、２つのバイポーラトランジスタＱ１１、Ｑ１２と、２つの抵抗器Ｒ１１、Ｒ１２と、第１温度検知素子１２０とを有する。なお、本実施形態では、第１温度検知素子１２０を負特性（NTC：Negative Temperature Coefficient）サーミスタとしている。
【００１３】
一方のバイポーラトランジスタＱ１１（以下、第１トランジスタと呼ぶ）のコレクタが第１光源１０の負極（先頭の第１ＬＥＤ１００のカソード）と電気的に接続され、第１トランジスタＱ１１のエミッタが第１温度検知素子１２０の一端と電気的に接続される。第１温度検知素子１２０の他端は、負極側の端子台１３Ｂと電気的に接続される。また、第１トランジスタＱ１１のベースは、抵抗器Ｒ１２の一端と電気的に接続される。
【００１４】
他方のバイポーラトランジスタＱ１２（以下、第２トランジスタと呼ぶ）のコレクタが抵抗器Ｒ１２の他端及び抵抗器Ｒ１１の一端と電気的に接続される。第２トランジスタＱ１２のエミッタは、負極側の端子台１３Ｂと電気的に接続される。第２トランジスタＱ１２のベースは、第１トランジスタＱ１１のエミッタと電気的に接続される。なお、抵抗器Ｒ１１の他端は、第１光源１０の正極（後尾の第１ＬＥＤ１００のアノード）及び正極側の端子台１３Ａと電気的に接続される。
【００１５】
第２定電流回路２２は、図１に示すように、２つのバイポーラトランジスタＱ２１、Ｑ２２と、２つの抵抗器Ｒ２１、Ｒ２２と、第２温度検知素子２２０とを有する。なお、本実施形態では、第２温度検知素子２２０を正特性（PTC：Positive Temperature Coefficient）サーミスタとしている。
【００１６】
一方のバイポーラトランジスタＱ２１（以下、第３トランジスタと呼ぶ）のコレクタが第２光源２０の負極（先頭の第２ＬＥＤ２００のカソード）と電気的に接続され、第３トランジスタＱ２１のエミッタが第２温度検知素子２２０の一端と電気的に接続される。第２温度検知素子２２０の他端は、負極側の端子台１３Ｂと電気的に接続される。また、第３トランジスタＱ２１のベースは、抵抗器Ｒ２２の一端と電気的に接続される。
【００１７】
他方のバイポーラトランジスタＱ２２（以下、第４トランジスタと呼ぶ）のコレクタが抵抗器Ｒ２２の他端及び抵抗器Ｒ２１の一端と電気的に接続される。第４トランジスタＱ２２のエミッタは、負極側の端子台１３Ｂと電気的に接続される。第４トランジスタＱ２２のベースは、第３トランジスタＱ２１のエミッタと電気的に接続される。なお、抵抗器Ｒ２１の他端は、第２光源２０の正極（後尾の第２ＬＥＤ２００のアノード）及び正極側の端子台１３Ａと電気的に接続される。
【００１８】
第１光源１０及び第２光源２０は、一対の端子台１３Ａ、１３Ｂ間に所定の直流入力電圧Ｖinが印加されている場合に導通して発光する。このとき、第１定電流回路１２は、第１光源１０に流れる電流を第１電流値Ｉ１に一致させるように動作する。なお、第１電流値Ｉ１は、第１温度検知素子１２０の抵抗値に応じて決まる。したがって、第１電流値Ｉ１は、直流入力電圧Ｖinが一定であれば、図２Ａにおいて実線Ｌ１で示すように、温度の上昇に伴って増加する。同様に、第２定電流回路２２は、第２光源２０に流れる電流を第２電流値Ｉ２に一致させるように動作する。なお、第２電流値Ｉ２は、第２温度検知素子２２０の抵抗値に応じて決まる。したがって、第２電流値Ｉ２は、直流入力電圧Ｖinが一定であれば、図２Ａにおいて破線Ｌ２で示すように、温度の上昇に伴って減少する。
【００１９】
ここで、第１ＬＥＤ１００及び第２ＬＥＤ２００は、図２Ｂにおいて実線Ｌ３、Ｌ４で示すように、温度の上昇に伴って色温度が大きくなる特性を有している。したがって、第１光源１０から放射される第１色温度の光（第１照明光）と、第２光源２０から放射される第２色温度の光（第２照明光）とを混色（合成）した光（合成照明光）の色温度は、図２Ｂにおいて実線Ｌ５で示す特性を有する。つまり、合成照明光の色温度は、実線Ｌ５で示されるように、３５００［Ｋ］から４５００［Ｋ］の間で変化する。なお、図２Ｂでは、ｘｙ色度図上に等色温度線の一部を表している。
【００２０】
また、温度変化に伴って第１電流値Ｉ１及び第２電流値Ｉ２が増減することにより、第１照明光及び第２照明光の光束も増減する。つまり、図３Ａ及び図３Ｂに示すように、第１照明光の光束は、温度が上昇するにつれて増加し（図３Ａにおける実線Ｌ６参照）、第２照明光の光束は、温度が上昇するにつれて減少する（図３Ａにおける破線Ｌ７参照）。ゆえに、合成照明光の光束は、温度の変化に対してほぼ一定となる（図３Ａにおける実線Ｌ８及び図３Ｂ参照）。
【００２１】
このように本実施形態のＬＥＤ照明装置では、温度の上昇に伴って合成照明光の色温度を上昇させることができる。しかも、本実施形態のＬＥＤ照明装置は、色温度を変化させる構成として、通常の抵抗器に代えて、第１温度検知素子１２０と第２温度検知素子２２０を用いるだけでよいから、簡易な構成で合成照明光の色温度を変化させることができる。なお、光源は３つ以上であってもよい。例えば、赤色光を放射する第１光源と、緑色光を放射する第２光源と、青色光を放射する第３光源とを備え、各光源の電流を温度検知素子によって可変とすることで合成照明光の光色を変化させることができる。
【００２２】
上述のように本実施形態のＬＥＤ照明装置は、第１光源１０と、第２光源２０と、第１定電流回路１２と、第２定電流回路２２とを備える。第１光源１０は、第１の色温度（５０００［Ｋ］）の光を放射する、１ないし複数個の第１ＬＥＤ１００を有する。第２光源２０は、第１の色温度と異なる第２の色温度（３０００［Ｋ］）の光を放射する、１ないし複数個の第２ＬＥＤ２００を有する。第１定電流回路１２は、第１光源１０に流す電流を第１電流値Ｉ１に一致させるように構成される。第２定電流回路２２は、第２光源２０に流す電流を第２電流値Ｉ２に一致させるように構成される。第１定電流回路１２は、周囲温度を検知して第１電流値Ｉ１を増減する第１温度検知素子１２０を備える。第２定電流回路２２は、周囲温度を検知し、かつ第１温度検知素子１２０とは逆向きに第２電流値Ｉ２を増減する第２温度検知素子２２０を備える。
【００２３】
本実施形態のＬＥＤ照明装置は上述のように構成され、通常の抵抗器に代えて、第１温度検知素子１２０と第２温度検知素子２２０を用いるだけで、温度の上昇に伴って照明光の色温度を変化させることができる。ゆえに、本実施形態のＬＥＤ照明装置は、簡易な構成で照明光（合成照明光）の色温度を変化させることができる。
【００２４】
また、本実施形態のＬＥＤ照明装置において、第１温度検知素子１２０は、周囲温度が上昇するにつれて、第１電流値Ｉ１を増加させるように構成されることが好ましい。第２温度検知素子２２０は、周囲温度が上昇するにつれて、第２電流値Ｉ２を減少させるように構成されることが好ましい。
【００２５】
本実施形態のＬＥＤ照明装置が上述のように構成されれば、温度の上昇に伴って照明光の色温度を高くすることができる。
【００２６】
さらに、本実施形態のＬＥＤ照明装置において、第１温度検知素子１２０及び第２温度検知素子２２０は、周囲温度が変化しても、第１電流値Ｉ１と第２電流値Ｉ２の合計値を一定にするように構成されることが好ましい。
【００２７】
本実施形態のＬＥＤ照明装置が上述のように構成されれば、照明光の光束を一定に維持しつつ光色（色温度）のみを変化させることができる。
【００２８】
また、本実施形態のＬＥＤ照明装置において、第１温度検知素子１２０及び第２温度検知素子２２０は、正特性サーミスタ及び負特性サーミスタで構成されることが好ましい。
【００２９】
本実施形態のＬＥＤ照明装置が上述のように構成されれば、更に簡易な構成で合成照明光の色温度を変化させることができる。
【００３０】
（実施形態２）
本実施形態に係るＬＥＤ照明装置は、第１温度検知素子１２０を正特性サーミスタとし、第２温度検知素子２２０を負特性サーミスタとした点が実施形態１と異なり、その他の構成については実施形態１と共通である。したがって、実施形態１と共通の構成には同一の符号を付して図示並びに説明を省略する。
【００３１】
本実施形態のＬＥＤ照明装置において、第１電流値Ｉ１は、直流入力電圧Ｖinが一定であれば、図４Ａにおいて実線Ｌ９で示すように、温度の上昇に伴って減少する。一方、第２電流値Ｉ２は、直流入力電圧Ｖinが一定であれば、図４Ａにおいて破線Ｌ１０で示すように、温度の上昇に伴って増加する。したがって、第１照明光と第２照明光とを合成した合成照明光の色温度は、図４Ｂにおいて実線Ｌ１１で示す特性を有する。つまり、合成照明光の色温度は、実線Ｌ１１で示されるように、３５００［Ｋ］から４５００［Ｋ］の間で変化する。なお、図４Ｂでは、図２Ｂと同様に、ｘｙ色度図上に等色温度線の一部を表している。
【００３２】
また、温度変化に伴って第１電流値Ｉ１及び第２電流値Ｉ２が増減することにより、第１照明光及び第２照明光の光束も増減する。つまり、図５Ａ及び図５Ｂに示すように、第１照明光の光束は、温度が上昇するにつれて減少し（図５Ａにおける実線Ｌ１２参照）、第２照明光の光束は、温度が上昇するにつれて増加する（図５Ａにおける破線Ｌ１３参照）。ゆえに、合成照明光の光束は、温度の変化に対してほぼ一定となる（図５Ａにおける実線Ｌ１４及び図５Ｂ参照）。
【００３３】
このように本実施形態のＬＥＤ照明装置では、温度の上昇に伴って合成照明光の色温度を低下させることができる。しかも、本実施形態のＬＥＤ照明装置は、色温度を変化させる構成として、通常の抵抗器に代えて、第１温度検知素子１２０と第２温度検知素子２２０を用いるだけでよいから、簡易な構成で合成照明光の色温度を変化させることができる。
【００３４】
本実施形態のＬＥＤ照明装置において、第１温度検知素子１２０は、周囲温度が上昇するにつれて、第１電流値Ｉ１を減少させるように構成されることが好ましい。第２温度検知素子２２０は、周囲温度が上昇するにつれて、第２電流値Ｉ２を増加させるように構成されることが好ましい。
【００３５】
本実施形態のＬＥＤ照明装置が上述のように構成されれば、温度の上昇に伴って照明光の色温度を低くすることができる。
【００３６】
（実施形態３）
本実施形態に係るＬＥＤ照明装置は、ＬＥＤモジュール１と、支持部材とを備える。ＬＥＤモジュール１は、第１光源１０及び第２光源２０と、第１定電流回路１２及び第２定電流回路２２と、基板１１と、一対の端子台１３Ａ、１３Ｂとを有する。
【００３７】
基板１１は、図６に示すように、長方形の平板状に形成されている。第１光源１０の第１ＬＥＤ１００は、基板１１の表面における短手方向の中央に、長手方向に沿って等間隔に並ぶように実装される。同様に、第２光源２０の第２ＬＥＤ２００は、基板１１の表面における短手方向の中央に、長手方向に沿って等間隔に並ぶように実装される。ここで、第１ＬＥＤ１００と第２ＬＥＤ２００とは、互いに交互かつ一列に並ぶように基板１１に実装されることが好ましい（図６参照）。ただし、第１ＬＥＤ１００と第２ＬＥＤ２００とは、互いに平行かつ２列に並ぶように基板１１に実装されてもよい。あるいは、第１ＬＥＤ１００と第２ＬＥＤ２００とは、互いに平行かつ互い違いに２列に並ぶように基板１１に実装されてもよい。このように第１ＬＥＤ１００と第２ＬＥＤ２００が、交互に並べて基板１１に実装されれば、合成照明光の色むらの低下を図ることができる。
【００３８】
また、基板１１の長手方向の一方の端における短手方向の両端近くに、一対の端子台１３Ａ、１３Ｂが実装される。一対の端子台１３Ａ、１３Ｂは、直流電源から直流電圧・直流電流が供給される被覆電線の導体と電気的に接続される。なお、第１定電流回路１２及び第２定電流回路２２は、基板１１の裏面に実装されることが好ましい。
【００３９】
支持部材は、図７Ａに示すように、ケース３と、一対のエンドキャップ４とで構成される。ケース３は、ポリカーボネート樹脂などの透光性を有する合成樹脂材料によって長尺の筒状に形成される。そして、ケース３の内部には、ＬＥＤモジュール１が収容される（図８参照）。なお、以下の説明においては、図８において、上下、左右及び前後の各方向を規定する。詳しくは、ケース３の長手方向（紙面に垂直な方向）を前後方向とし、基板（第１基板１１及び第２基板２１）の厚み方向を上下方向とし、基板の短手方向を左右方向とする。
【００４０】
ケース３は、下壁３０、上壁３１、一対の側壁３２を有する。下壁３０は、下向きに突出する半円筒形状に形成される。下壁３０の内周面（上面）には、細かな凹凸３００が形成されている（図８参照）。ゆえに、ＬＥＤモジュール１から放射される光は、下壁３０を透過する際に拡散されることになる。
【００４１】
一対の側壁３２は、下壁３０の左右両端から上向きに立ち上がるように、下壁３０と一体に形成される。また、各側壁３２の上部には、前後方向から見て、外側に向かって突出するＶ字形状の引掛部３２１が形成されている（図８参照）。また、各側壁３２には、基板１１を支持する支持片３２０がそれぞれ一体に形成されている。支持片３２０は、側壁３２の内側面における、上下方向のほぼ中央の位置から斜め上向きに突出するように形成されている。そして、基板１１は、図８に示すように、第１ＬＥＤ１００及び第２ＬＥＤ２００を下壁３０に対向させる向きで、短手方向の両端部を支持片３２０の先端に載せるようにして支持片３２０に支持される。
【００４２】
上壁３１は、長尺の矩形板状であって、長手方向に沿った両端で各側壁３２と連結されるように形成される。上壁３１の左右方向の中央部には、下向きに凹む凹部３１０が、前後方向に沿い、かつ全長に渡って形成されている（図７Ａ参照）。また、上壁３１の上面には、一対の第１突部３１１が前後方向に沿い、かつ全長に渡って形成されている。これらの第１突部３１１は、凹部３１０の左右方向の両端から上向きに突出している（図８参照）。さらに、上壁３１の下面には、一対の第２突部３１２が前後方向に沿い、かつ全長に渡って形成されている。これらの第２突部３１２は、左右方向の両端近くから下向きに突出している（図８参照）。上壁３１は、これら各一対の第１突部３１１及び第２突部３１２により、上下方向及び左右方向の曲げ強度の向上が図られている。
【００４３】
エンドキャップ４は、図１０に示すように、シリコーンゴムなどの可撓性を有する材料によって、有底筒状に形成される。エンドキャップ４は、ケース３の前後方向（長手方向）の両端部に装着されてケース３内を密閉するように構成される（図７Ａ及び図７Ｂ参照）。なお、以下の説明においては、図１０において、上下、左右及び前後の各方向を規定する。
【００４４】
エンドキャップ４は、エンド下壁４０、エンド上壁４１、一対のエンド側壁４２を有する。エンド下壁４０は、下向きに突出する半円筒形状に形成される。一対のエンド側壁４２は、エンド下壁４０の左右両端から上向きに立ち上がるように、エンド下壁４０と一体に形成される。ただし、各エンド側壁４２の上半分は、前後方向から見て、外側に向かって突出するＶ字形状に形成されている（図９Ａ参照）。
【００４５】
エンド上壁４１は、前後方向に沿った両端で各エンド側壁４２と連結されるように形成される。エンド上壁４１の左右方向の中央部には、下向きに凹む凹部４１０が、前後方向に沿い、かつ全長に渡って形成されている（図１０参照）。また、エンド上壁４１の上面には、一対の第３突部４１１が前後方向に沿い、かつ全長に渡って形成されている。これらの第３突部４１１は、凹部４１０の左右方向の両端から上向きに突出している（図１０参照）。さらに、エンド上壁４１の下面における凹部４１０の左右両側に、前後方向を長手方向とする溝４１２が、それぞれ設けられている。
【００４６】
エンド底壁４３は、エンド下壁４０、エンド上壁４１、エンド側壁４２で囲まれる筒状の空間の一端（例えば後端）を塞ぐように形成される（図９Ａ参照）。エンド底壁４３の後面には、前後方向から見て十字状、かつ前向きに凹む凹所４３０が形成されている（図９Ｂ〜図９Ｄ参照）。また、エンド底壁４３の内底面（前面）には、一対の突起４３１及び突片４３２が、前向きに突出するように形成されている（図９Ａ及び図１０参照）。突起４３１は、図９Ａに示すように、直方体状に形成される。また、突片４３２は、図９Ａ及び図１０に示すように、上下方向から見て矩形であり、かつ弧状に湾曲する形状に形成される。エンド底壁４３は、突片４３２により、前後方向、上下方向及び左右方向の曲げ強度の向上が図られている。なお、２つのエンドキャップ４のうち、片方のエンドキャップ４のエンド底壁４３には、それぞれに電源ケーブル５の被覆電線が挿通される一対の孔４３３が貫通している（図９Ａ及び図９Ｃ参照）。
【００４７】
そして、エンドキャップ４は、ケース３の前後方向の端部を外側から覆うように、ケース３に装着される（図７Ａ参照）。つまり、エンドキャップ４のエンド下壁４０がケース３の下壁３０の外側面に密着し、エンドキャップ４のエンド上壁４１がケース３の上壁３１の外側面に密着し、エンドキャップ４のエンド側壁４２がケース３の側壁３２の外側面と密着する。その結果、エンドキャップ４とケース３の端部との隙間から、水などがケース３内に浸入し難くなるという利点がある。
【００４８】
電源ケーブル５は、２本の被覆電線と、これら２本の被覆電線を覆って保護する保護チューブ５０と、２本の被覆電線の先端に設けられるプラグコネクタ５１とを有する。保護チューブ５０は、筒状の熱収縮チューブで構成される。プラグコネクタ５１は、対となるレセプタクルコネクタと挿抜可能に接続される。なお、レセプタクルコネクタは、直流電源装置の出力ケーブルの先端に設けられる。直流電源装置は、従来周知のスイッチング電源回路を有し、電力系統から供給される交流電圧（実効値１００［Ｖ］又は２００［Ｖ］）を、例えば、２４［Ｖ］の直流電圧に変換して出力するように構成される。
【００４９】
本実施形態のＬＥＤ照明装置は、ＬＥＤモジュール１をケース３内に収容し、ケース３の両端にエンドキャップ４をそれぞれ装着することで組み立てられる。ただし、電源ケーブル５の２本の被覆電線の導体は、ＬＥＤモジュール１の端子台１３Ａ、１３Ｂと電気的に接続される。そして、本実施形態のＬＥＤ照明装置は、直流電源装置から電源ケーブル５を介して直流電圧・直流電流が供給されることにより、ＬＥＤモジュール１を発光（点灯）させる。ここで、ＬＥＤモジュール１から放射される光（光束）は、ケース３の下壁３０の凹凸３００で拡散される。そのため、本実施形態のＬＥＤ照明装置は、照明空間に照射する光（光束）の均斉度の向上及び色むらの低減を図ることができる。
【００５０】
上述のように本実施形態のＬＥＤ照明装置において、第１ＬＥＤ１００及び第２ＬＥＤ２００を実装する基板１１を備えることが好ましい。基板１１は、第１ＬＥＤ１００と第２ＬＥＤ２００を交互に並ぶように実装することが好ましい。
【００５１】
本実施形態のＬＥＤ照明装置が上述のように構成されれば、合成照明光の色むらの低下を図ることができる。
【００５２】
ところで、本実施形態のＬＥＤ照明装置は、図１１Ａ及び図１１Ｂに示すように、取付部材６を用いて任意の場所に設置される。取付部材６は、固定板６０、第１ばね片６１、第２ばね片６２を備える。固定板６０は、矩形平板状に形成される。固定板６０の中央には、円形のねじ挿通孔が貫通している。第１ばね片６１は、Ｚ字状に形成され、固定板６０の一端と連結されている。第１ばね片６１は、外向きに凹んだ引掛凹部６１０を有している。第２ばね片６２は、第１ばね片６１と同様に、外向きに凹んだ第１引掛凹部６２０と、同じく外向きに凹んだ第２引掛凹部６２１とを有し、固定板６０の他端と連結されている。
【００５３】
ＬＥＤ照明装置は、一方の側壁３２の引掛部３２１を第１ばね片６１の引掛凹部６１０に引っ掛け、他方の側壁３２の引掛部３２１を第２ばね片６２の第１引掛凹部６２０に引っ掛けて取付部材６に取り付けられる（図１１Ａ参照）。あるいは、ＬＥＤ照明装置は、一方の側壁３２の引掛部３２１を第１ばね片６１の引掛凹部６１０に引っ掛け、他方の側壁３２の引掛部３２１を第２ばね片６２の第２引掛凹部６２１に引っ掛けて取付部材６に取り付けられる（図１１Ｂ参照）。なお、図１１Ａに示すように、ケース３は、上壁３１に設けられた凹部３１０によって、固定ねじ６３の頭部６３０との干渉を回避することができる。
【００５４】
ここで、本実施形態のＬＥＤ照明装置は、図１２に示す冷蔵ショーケース７に用いられてもよい。冷蔵ショーケース７は、スーパーマーケットやコンビニエンスストアなどの店舗に設置され、商品を陳列しながら冷蔵するように構成されている。冷蔵ショーケース７は、前方に開放された陳列室７０を有する。陳列室７０には、商品を陳列するための陳列棚７１が、上下方向に間隔を空けて複数段（図示例では４段）設けられている。ＬＥＤ照明装置は、各段の陳列棚７１における前方の下面側に、複数個の取付部材６を用いて取り付けられる。つまり、ＬＥＤ照明装置は、各陳列棚７１に陳列されている商品を、それぞれの上段の陳列棚７１の前方かつ上方から照明するように設置される。
【００５５】
このように本実施形態のＬＥＤ照明装置が冷蔵ショーケース７の照明に用いられれば、陳列室７０の温度に応じて照明（合成照明光）の色が変化することにより、陳列室７０の温度が適切な温度に保たれているか否かを容易に確認することができる。ただし、本実施形態のＬＥＤ照明装置は、冷蔵ショーケース７の照明以外に用いられてもよい。例えば、複数のＬＥＤ照明装置が壁や天井に一列に並べて設置されることにより、間接照明や演出照明に用いられてもよい。
【符号の説明】
【００５６】
１０  第１光源
１１  基板
１２  第１定電流回路
２０  第２光源
２２  第２定電流回路
１００  第１ＬＥＤ
１２０  第１温度検知素子
２００  第２ＬＥＤ
２２０  第２温度検知素子
【図１】
2016201264.tif 000003
【図２】
2016201264.tif 000004
【図３】
2016201264.tif 000005
【図４】
2016201264.tif 000006
【図５】
2016201264.tif 000007
【図６】
2016201264.tif 000008
【図７】
2016201264.tif 000009
【図８】
2016201264.tif 000010
【図９】
2016201264.tif 000011
【図１０】
2016201264.tif 000012
【図１１】
2016201264.tif 000013
【図１２】
2016201264.tif 000014